(57)【要約】【課題】  高出力の紫外線ＬＥＤや青色ＬＥＤを用いたとしても、絶縁樹脂を劣化させるおそれがなく、放熱性を向上させ尚且つ厚さが薄いＬＥＤ装置用パッケージを提供する。【解決手段】  ＬＥＤ装置を構成するためのパッケージであって、ＬＥＤ保持面にはＬＥＤ素子とワイヤボンディングにより電気的に接続されるリード部とＬＥＤ素子を内側に保持するカップ状部材とリード部とカップ状部材とを絶縁樹脂で仕切る絶縁区画部とが表出され、カップ状部材はＬＥＤ素子に熱伝導的に接触する底板部と、この底板部の周縁部に形成された反射面部とを備え、反射面部はこの反射面部の内側の底板部に熱伝導的に接触されたＬＥＤ素子の放射光がこの反射面部を介した外側のＬＥＤ保持面と枠部材とに照射されることを阻止する高さに形成され、ＬＥＤ保持面の裏面側は、カップ状部材の底板部の裏面が絶縁区画部の裏面と面一に表出されているもの。【選択図】      図１
2009278012.tif 000002
【特許請求の範囲】
【請求項１】
ＬＥＤ素子の保持領域を含むＬＥＤ保持面と、該ＬＥＤ保持面の周囲を囲む枠部材とを備え、前記ＬＥＤ保持面と前記枠部材とで構成される素子保持空間を光透過性樹脂で封止したＬＥＤ装置を構成するためのパッケージであって、
前記ＬＥＤ保持面には、ＬＥＤ素子とワイヤボンディングにより電気的に接続されるリード部と、ＬＥＤ素子を内側に保持するカップ状部材と、前記リード部とカップ状部材とを絶縁樹脂で仕切る絶縁区画部とが表出され、
前記カップ状部材は、ＬＥＤ素子に熱伝導的に接触する底板部と、この底板部の周縁部に形成された反射面部とを備え、
前記反射面部は、この反射面部の内側の底板部に熱伝導的に接触されたＬＥＤ素子の放射光が、この反射面部を介した外側の前記ＬＥＤ保持面と枠部材とに照射されることを阻止する高さに形成され、
前記ＬＥＤ保持面の裏面側は、前記カップ状部材の底板部の裏面が前記絶縁区画部の裏面と面一に表出されていることを特徴とするＬＥＤ装置用パッケージ。
【請求項２】
前記カップ状部材の内側面が、鏡面加工されたことを特徴とする請求項１に記載のＬＥＤ装置用パッケージ。
【請求項３】
前記カップ状部材の内側面には、底板部に熱伝導的に接触されたＬＥＤ素子から放射される光のほぼ全波長域に対して高い反射率を備える反射層が形成されたことを特徴とする請求項１又は２に記載のＬＥＤ装置用パッケージ。
【発明の詳細な説明】
【技術分野】
【０００１】
本発明は放熱性と放射効率とを向上させることができるＬＥＤ装置のパッケージに関するものである。特に、高出力ＬＥＤや白色ＬＥＤの用途に主眼をおいたＬＥＤ装置用パッケージに関するものである。
【背景技術】
【０００２】
発光ダイオード(Light Emitting Diode：「ＬＥＤ」と称する)の光量は投入電力に比例する。投入できる電力としては自ずと限界がある。その限界は、素子の性能によるところが大であるが、パッケージの放熱性も関係している。そもそも、半導体素子の動作領域は温度で制限されていて、限界温度を超えると半導体素子は破壊されたり、著しく寿命が短くなったりする。
【０００３】
ＬＥＤ素子の場合、投入電力の一部が光エネルギーに変換され、残りは熱に変換されるため、素子を一定温度以下に保つためには、パッケージの放熱性が問題になる。一方で、装置の小型化、薄型化の要求は高く、小型・薄形で放熱効果の高いパッケージが求められている。特に、ＬＥＤは、例えば、白熱電球に比べて、発熱の少ないことが特徴であるが、高出力（高輝度）タイプのＬＥＤ素子は大電流が流れるため、無視できないレベルの発熱・温度上昇が生じる。
【０００４】
最近、ＬＥＤを大型液晶表示装置のバックライトユニットとして利用しようとする試みが進んでおり、フリップチップボンディング連結のための電極が設けられた絶縁膜を用いて大面積の放熱口を設けることにより放熱効果を大きく向上させた提案も成されている（例えば、特許文献１参照）。
【０００５】
もう一つの背景は、反射効率の高いパッケージの要求である。ＬＥＤ素子は素子上面方向に所定の放射角で光が放射されるが、素子の横方向にも無視できない量の光を放射する。横方向の光を無駄にすることなく、有効利用するために素子の横に反射板を配置する方法が従来から採用されてきた。
【０００６】
例えば、砲弾型といわれる発光ダイオードでは、一方の端子に素子を搭載し、その電極端子の一部を反射板にしている。また、表面実装型の場合は、プラスチックパッケージに円錐状の凹部を設け、その斜面を反射板としている。
【０００７】
【特許文献１】特許第４０４４０７８号公報
【発明の開示】
【発明が解決しようとする課題】
【０００８】
しかしながら、砲弾型の場合は、構造的に放熱性が悪い上に一部の光しか反射できないこと、表面実装型の場合は、プラスチックの反射率が低いこと、及びプラスチックの光吸収による劣化が激しいこと等の課題があり、何れも高出力発光ダイオードのパッケージには適するものではなかった。
【０００９】
更にもう一つの背景は、白色ＬＥＤへの対応である。白色ＬＥＤは蛍光体に青色又は紫外ＬＥＤの光を照射して白色光を放射するタイプと、赤色ＬＥＤ、緑色ＬＥＤ、青色ＬＥＤ等を同時に発光させ１つのパッケージの中で光の混合により白色化させるタイプに大別される。そして、上記プラスチックの光吸収については、長波長の赤色光は吸収率が低く、短波長の青色、紫外光は著しく吸収される。
【００１０】
従って、上記の光の反射問題と併せて考えるならば、プラスチックパッケージにおいては、プラスチックを反射板に利用することは赤色ＬＥＤや低出力ＬＥＤに限定されることを意味する。白色ＬＥＤでは、上記の２つのタイプも短波長ＬＥＤを利用するため、プラスチックパッケージを使用した白色ＬＥＤは次のような課題を持つからである。
【００１１】
即ち、蛍光体に紫外ＬＥＤの光を照射するタイプでは、紫外線を照射されたプラスチック部分が短時間で茶褐色に変色し、この変色によって反射率が低下し、白色光の出力が低下することになる。また、赤色光、緑色光、青色光等の光混合タイプでは、青色ＬＥＤの近傍のプラスチック部分が茶褐色に変色し反射率が低下するため、白色光の出力が低下するだけでなく、色ずれが生じることになる。
【００１２】
プラスチックメーカーは高耐熱で、変色し難いプラスチックや顔料の研究を行い、ＬＥＤ用材料として市販し始めたが、現在においても、未だ安心して使用できる材料は存在しない。
【００１３】
本発明は、高出力の紫外線ＬＥＤや青色ＬＥＤを用いたとしても、絶縁樹脂を劣化させるおそれがなく、放熱性を向上させ尚且つ厚さが薄いＬＥＤ装置用パッケージを提供することを目的とする。
【課題を解決するための手段】
【００１４】
請求項１に記載された発明に係るＬＥＤ装置用パッケージは、ＬＥＤ素子の保持領域を含むＬＥＤ保持面と、該ＬＥＤ保持面の周囲を囲む枠部材とを備え、前記ＬＥＤ保持面と前記枠部材とで構成される素子保持空間を光透過性樹脂で封止したＬＥＤ装置を構成するためのパッケージであって、
前記ＬＥＤ保持面には、ＬＥＤ素子とワイヤボンディングにより電気的に接続されるリード部と、ＬＥＤ素子を内側に保持するカップ状部材と、前記リード部とカップ状部材とを絶縁樹脂で仕切る絶縁区画部とが表出され、
前記カップ状部材は、ＬＥＤ素子に熱伝導的に接触する底板部と、この底板部の周縁部に形成された反射面部とを備え、
前記反射面部は、この反射面部の内側の底板部に熱伝導的に接触されたＬＥＤ素子の放射光が、この反射面部を介した外側の前記ＬＥＤ保持面と枠部材とに照射されることを阻止する高さに形成され、
前記ＬＥＤ保持面の裏面側は、前記カップ状部材の底板部の裏面が前記絶縁区画部の裏面と面一に表出されていることを特徴とするものである。
【００１５】
請求項２に記載された発明に係るＬＥＤ装置用パッケージは、請求項１に記載のカップ状部材の内側面が、鏡面加工されたことを特徴とするものである。
【００１６】
請求項３に記載された発明に係るＬＥＤ装置用パッケージは、請求項１又は２に記載のカップ状部材の内側面には、底板部に熱伝導的に接触されたＬＥＤ素子から放射される光のほぼ全波長域に対して高い反射率を備える反射層が形成されたことを特徴とするものである。
【発明の効果】
【００１７】
本発明は、青色ＬＥＤや紫外線ＬＥＤを用いたとしても、絶縁樹脂を劣化させるおそれがなく、放熱性を向上させることができ、ＬＥＤ装置の光出力を向上させ、尚且つ薄い形状とすることのできるＬＥＤ装置用パッケージを提供することができるという効果がある。
【発明を実施するための最良の形態】
【００１８】
本発明においては、ＬＥＤ素子の保持領域を含むＬＥＤ保持面と、該ＬＥＤ保持面の周囲を囲む枠部材とを備え、前記ＬＥＤ保持面と前記枠部材とで構成される素子保持空間を光透過性樹脂で封止したＬＥＤ装置を構成するためのパッケージであって、前記ＬＥＤ保持面には、ＬＥＤ素子とワイヤボンディングにより電気的に接続されるリード部と、ＬＥＤ素子を内側に保持するカップ状部材と、前記リード部とカップ状部材とを絶縁樹脂で仕切る絶縁区画部とが表出され、前記カップ状部材は、ＬＥＤ素子に熱伝導的に接触する底板部と、この底板部の周縁部に形成された反射面部とを備え、前記反射面部は、この反射面部の内側の底板部に熱伝導的に接触されたＬＥＤ素子の放射光が、この反射面部を介した外側の前記ＬＥＤ保持面と枠部材とに照射されることを阻止する高さに形成され、前記ＬＥＤ保持面の裏面側は、前記カップ状部材の底板部の裏面が前記絶縁区画部の裏面と面一に表出されているため、青色ＬＥＤや紫外線ＬＥＤを用いたとしても、絶縁樹脂を劣化させるおそれがなく、放熱性を向上させることができ、尚且つ薄い形状とすることのできるＬＥＤ装置を作製するためのパッケージを得ることができる。
【００１９】
即ち、本発明のパッケージは、ＬＥＤ素子を内側に保持するカップ状部材が、ＬＥＤ素子に熱伝導的に接触する底板部と、この底板部の周縁部に形成された反射面部とを備えており、反射面部によってＬＥＤ素子の放射光が枠部材に照射されることが阻止されるため、青色ＬＥＤや紫外線ＬＥＤを用いたとしても、反射面部の外側に配された絶縁樹脂の光反射特性を劣化させるおそれがない。また、ＬＥＤ素子に表面で熱伝導的に接触するカップ状部材の底板部の裏面が絶縁樹脂による絶縁区画部の裏面と面一に表出させたものである。従って、ＬＥＤ素子で発生する熱をカップ状部材の底板部の裏面から基板へ放出することができる。また、カップ状部材の反射面部の立ち上がり高さを可能な限り薄くすることにより、パッケージやＬＥＤ装置の厚さを薄くすることもできる。
【００２０】
例えば、打ち抜き加工と同時か打ち抜き加工工程の後にプレス加工によりカップ状部材の周囲を曲折して、底板部と反射面部とを形成する。この際に、反射面部の立ち上がり高さを、反射面部の内側の底板部に熱伝導的に接触されたＬＥＤ素子の放射光が、この反射面部を介した外側の前記ＬＥＤ保持面と枠部材とに照射されることを概ね阻止するか、それ以上の高さが必要である。
【００２１】
本発明では、カップ状部材の底板部の裏面が絶縁区画部の裏面と面一に表出されており、カップ状部材の底板部の裏面に、外部の放熱部材・ヒートシンクやプリント基板の導電体部をこれに密着させれば、放熱効果は良好になる。特に、ＬＥＤと電気的に絶縁された本発明のパッケージやＬＥＤ装置では、金属などの導電性材料のカップ状部材の底板部を接触させても動作上問題が無い為、良好な放熱効果が容易に実現できる。
【００２２】
従って、枠部材は好ましくはパッケージの全てのカップ状部材とリード部との一部に、枠部材の一部が重なるように施される。この枠部材は、光透過性樹脂で封止される素子保持空間を単に区画して構成するだけでなく、素子保持空間を光透過性樹脂で封止する工程の前までは、絶縁樹脂による絶縁区画部と共にカップ状部材とリード部とを保持する役目を有する。
【００２３】
枠部材を構成する樹脂とカップ状部材とリード部との間に形成された絶縁区画部とは別の樹脂で構成しても良いが、好ましくは同一の樹脂とする。これは、同一の樹脂であれば１つのインサート成形工程で容易に形成できるからである。用いる樹脂はインサート成形で使用できる熱可塑性樹脂が好ましい。また、ＬＥＤ素子をカップ状部材上にダイボンディングにより熱伝導が良好なように接着させ、ＬＥＤ素子にワイヤーボンディング等で電気的な接続を安全に行えるだけの工程での強度が確保されるように剛性と耐衝撃強度に優れた樹脂が選択される。例えば、ナイロン系樹脂や液晶ポリマー系樹脂等が用いられる。
【００２４】
本発明のカップ状部材はリード部と相違して電気的な結合はされず、リード部とは絶縁区画部によって絶縁される。これは電気的な結合によってカップ状部材自体が発熱して放熱効果を阻害することを防ぐためだけでなく、本パッケージを用いたＬＥＤ装置を搭載する基板上にカップ状部材の放熱を促進させる放熱手段を講じた場合に、カップ状部材に電気的な結合を施すと、基板の放熱手段についても電気的な制限が生じるためである。従って、カップ状部材の表面上に熱伝導的に接触されるＬＥＤ素子の電極とリード部とはワイヤボンディング等によって電気的に結合されるが、カップ状部材とは電気的に結合されないように行われる。
【００２５】
本発明のリード部はカップ状部材の底板部の表面に接触して配置されるＬＥＤ素子一つに対してアノード側及びカソード側の２つの端子部を備える。また、ＬＥＤ素子は１つのパッケージに複数個配置しても良く、ＬＥＤ素子を直列に接続する場合には、少なくとも２つのカップ状部材とこれに隣接したリード部を備える。隣接する２つのカップ状部材の間には、リード部として各々のカップ状部材に配置されたＬＥＤ素子同士を接続するための中継部を備えるのが標準的である。
【００２６】
更に、直列に接続したＬＥＤ素子を複数行併設させても良い。これにより、複数行の直列接続により発光光度が高く小型で極薄い液晶ディスプレイ用のバックライトユニットや照明用光源が製造可能となる。また、直列接続を、各々、赤色ＬＥＤ群、緑色ＬＥＤ群、青色ＬＥＤ群とすれば、各色での点滅や光度調整が可能となり、カラーフィルター不要の液晶ディスプレイや、光度や色温度を可変可能な照明用光源が実現できる。更に、直列接続にすることにより、各色ＬＥＤ群に印加する電圧が高くなるため、電源の効率が高くなる利点もある。
【００２７】
本発明のカップ状部材に熱伝導的に接触されるＬＥＤ素子は、白色ＬＥＤ、青色ＬＥＤ、赤色ＬＥＤ、緑色ＬＥＤ、黄色ＬＥＤ等の単色のＬＥＤ素子のみを単数又は複数搭載しても良い。また、バックライトとして用いるのであれば、複数行及び複数列を配置可能であるため、白色ＬＥＤだけでなく、青色ＬＥＤ、赤色ＬＥＤ、緑色ＬＥＤ、黄色ＬＥＤ等を組み合わせて、１つのＬＥＤ装置で白色を呈するようにしてもよい。
【００２８】
本発明の反射面部としては、底板部の全周縁に環状に形成されたものが、放射光が枠部材に照射されることを阻止する為には最も望ましいが、底板部の周囲の一部に形成された複数のカップ状部材を並設させて複数の反射面部で複数の底板部の縁を囲んで形成されたものとすることもできる。
【００２９】
本発明のパッケージとしての機械的強度は、ＬＥＤ素子をカップ状部材の底板部上にダイボンディングにより熱伝導的に接触させ、ＬＥＤ素子にワイヤボンディング等で電気的な接触を行い、光透過性樹脂を封止する工程に耐える強度が必要である。また、プリント基板等に実装する為、リフローや半田付けの作業にも不具合をきたさない強度が必要である。このため、パッケージとしての強度を高める種々の工夫を行っても良い。
【００３０】
更に、本発明のリード部のＬＥＤ保持面側での高さ位置がカップ状部材のＬＥＤ保持面側での高さ位置よりも上位に配置しても良い。即ち、カップ状部材と同一の金属板から打ち抜いたリード部の一部を曲折してリード部の表面はカップ状部材の表面高さ位置よりも上位に配置した場合には、リード部の裏面側に絶縁樹脂が回り込むことになり、ＬＥＤ素子をダイボンディングやワイヤーボンディングで熱的・電気的な接続を行う工程に耐えられるようにパッケージの強度を増すことができる。尚、リード部の表面の高さ位置は枠部材を越えることがなく、ＬＥＤ素子の電極の高さ位置と同等とすることにより、ＬＥＤ素子とリード部とのワイヤボンディングが良好に行える利点もある。更に、カップ状部材裏面の近傍には電気的に接続されたリード部が露出しない為、カップ状部材裏面と外部放熱構造体を直接接触させることが容易である為、容易に効果的な放熱構造を実現できる。
【００３１】
本発明のパッケージは、１つ以上のＬＥＤ素子をカップ状部材にダイボンディングにより熱伝導的に接触させて搭載し、このＬＥＤ素子の２つの電極をリード部にワイヤボンディングで連結した後、ＬＥＤ素子を保持したＬＥＤ保持面とこのＬＥＤ保持面の周囲を囲む枠部材とで構成される素子保持空間を光透過性樹脂で封止してＬＥＤ装置を得る。
【００３２】
光透過性樹脂としては、ＬＥＤ素子の発光を減衰させず外部に放射する、又は、蛍光材を光透過性樹脂に含有させる事により、青色ＬＥＤ、紫色ＬＥＤ或いは紫外線ＬＥＤからの発光を、これらより長い波長の可視光の光に変換し、ＬＥＤ装置全体としての発光を白色にするといった、光源色を変化させることも可能である。更に、光透過性樹脂の形状を適切に工夫することにより、特定の方向への放射光を強くする、レンズの効果を持たせることも出来る。更に、封止されているＬＥＤ素子を湿度等から守る役割もある。光透過性樹脂としては、例えば、アクリル系樹脂や、シリコン系透明樹脂等が使用されている。
【００３３】
本発明のカップ状部材の内側面は光の反射率が高くなる様な処理が必要である、更に、好ましくは、金属面は平滑度が高い程光の反射率が高くなるので、鏡面加工されることにより、ＬＥＤ素子から放射される光に対して高い反射率を有することができる。更に、ＬＥＤ素子から放射される光のほぼ全波長域に対して高い反射率を備える反射層を備えることにより、ＬＥＤ素子から放射される光のほぼ全波長域に対して高い反射率を有することができる。
【実施例】
【００３４】
図１は本発明のＬＥＤ装置用パッケージの一実施例の構成を示す平面図であり、図２は図１の底面図である。図３は図１の正面図であり、図４は図１の右側面図である。図５は図１のＬＥＤ装置用パッケージを用いたＬＥＤ装置の斜視図である。
【００３５】
本実施例のパッケージ１０は、ＬＥＤ素子を保持するＬＥＤ保持面１１と、ＬＥＤ保持面１１の周囲を囲む枠部材１２とで構成される素子保持空間１３を光透過性樹脂で封止するＬＥＤ装置に用いるものである。具体的には、ＬＥＤ保持面１１は、ＬＥＤ素子と電気的に接続される８つのリード部１４と、ＬＥＤ素子を表面に熱伝導的に接触させる平面形状が略矩形の１つのカップ状部材１５とが、絶縁樹脂による絶縁区画部１７を介して表出されている。
【００３６】
本実施例のパッケージ１０は、図５に示す通り、ＬＥＤ素子２１を保持するＬＥＤ保持面１１と、ＬＥＤ保持面１１の周囲を囲む枠部材１２とで構成される素子保持空間１３を光透過性樹脂２３で封止するＬＥＤ装置２０に用いるものである。尚、図５において絶縁樹脂による絶縁区画部１７を示すパターン線は省略している。図５に示す通り、略矩形のカップ状部材１５は、ＬＥＤ素子２１に熱伝導的に接触する底板部１５ａと、この底板部１５ａの縁に形成された反射面部１５ｂとを備える。反射面部１５ｂは底板部１５ａの全周縁に環状に形成され、反射面部１５ｂは、この反射面部１５ｂの内側の底板部１５ａに熱伝導的に接触されたＬＥＤ素子２１の放射光が、この反射面部１５ｂを介した外側のＬＥＤ保持面１１と枠部材１２とに直接照射されることを阻止する程度の高さに形成されている。
【００３７】
また、図２、図３、図４及び図５に示す通り、ＬＥＤ保持面１１の裏面は、カップ状部材１５の底板部１５ａの裏面が絶縁樹脂による絶縁区画部１７の裏面と面一に表出されている。このパッケージ１０は１つのカップ状部材１５に４つのＬＥＤ素子２１を搭載し、各ＬＥＤ素子２１の電極とリード部１４とをワイヤ２２で電気的に接続し、素子保持空間１３を光透過性樹脂２３で封止して、ＬＥＤ装置２０となる。
【００３８】
尚、カップ状部材１５の内側面は、前述のごとく、光の反射率が高くなる様な処理が必要である、更に鏡面加工するのが望ましい。これにより、アルミ製や銀製のカップ状部材では、ＬＥＤ素子から放射される光のほぼ全波長域に対して高い反射率を有することができる。また、銅製等の金属製のカップ状部材においては、例えば銀製の反射層を形成して表面を鏡面加工することにより、同様に、ＬＥＤ素子から放射される光のほぼ全波長域に対して高い反射率を有することができる。
【００３９】
図６は本発明のＬＥＤ装置用パッケージの別の実施例の構成を示す平面図である。図７は図６の底面図、図８は図６の正面図であり、図９は図６の右側面図である。図１０は図６のＬＥＤ装置用パッケージを用いたＬＥＤ装置の斜視図である。
【００４０】
本実施例のパッケージ６０は、ＬＥＤ素子を保持するＬＥＤ保持面６１と、ＬＥＤ保持面６１の周囲を囲む枠部材６２とで構成される素子保持空間６３を光透過性樹脂７３で封止するＬＥＤ装置に用いるものである。具体的には、ＬＥＤ保持面６１には、ＬＥＤ素子をワイヤで電気的に接続される２つのリード部６４と、ＬＥＤ素子を表面で熱伝導的に接触する平面形状が略円形の１つのカップ状部材６５とが絶縁樹脂による絶縁区画部６７を介して表出されている。
【００４１】
略円形のカップ状部材６５は、図１０に示す通り、ＬＥＤ素子７１を保持するＬＥＤ保持面６１と、ＬＥＤ保持面６１の周囲を囲む枠部材６２とで構成される素子保持空間６３を光透過性樹脂７３で封止するＬＥＤ装置７０に用いるものである。尚、図１０において絶縁樹脂による絶縁区画部６７を示すパターン線は省略している。図１０に示す通り、カップ状部材６５は、ＬＥＤ素子７１に熱伝導的に接触する底板部６５ａと、この底板部６５ａの縁に形成された反射面部６５ｂとを備える。反射面部６５ｂは底板部６５ａの全周縁に環状に形成され、反射面部６５ｂは、この反射面部６５ｂの内側の底板部６５ａに熱伝導的に接触されたＬＥＤ素子７１の放射光が、この反射面部６５ｂを介した外側のＬＥＤ保持面６１と枠部材６２とに直接照射されることを阻止する高さに形成されている。
【００４２】
また、図７、図８、図９及び図１０に示す通り、ＬＥＤ保持面６１の裏面は、カップ状部材６５の裏面のみが表出され、絶縁樹脂による絶縁区画部６７の裏面と面一に表出されている。このパッケージ６０は１つのカップ状部材６５に１つのＬＥＤ素子７１を搭載し、ＬＥＤ素子７１の電極とリード部６４とをワイヤ７２で電気的に接続し、素子保持空間６３を光透過性樹脂７３で封止して、ＬＥＤ装置７０となる。
【００４３】
尚、カップ状部材６５の内側面は、前述のごとく、光の反射率が高くなる様な処理が必要である、更に鏡面加工するのが望ましい。これにより、アルミ製や銀製のカップ状部材では、ＬＥＤ素子から放射される光のほぼ全波長域に対して高い反射率を有することができる。また、銅製等の金属製のカップ状部材においては、例えば銀製の反射層を形成して表面を鏡面加工することにより、同様に、ＬＥＤ素子から放射される光のほぼ全波長域に対して高い反射率を有することができる。
【図面の簡単な説明】
【００４４】
【図１】本発明のＬＥＤ装置用パッケージの一実施例の構成を示す平面図である。
【図２】図１の底面図である。
【図３】図１の正面図である。
【図４】図１の右側面図である。
【図５】図１のＬＥＤ装置用パッケージを用いたＬＥＤ装置の斜視図である。
【図６】本発明のＬＥＤ装置用パッケージの別の実施例の構成を示す平面図である。
【図７】図６の底面図である。
【図８】図６の正面図である。
【図９】図６の右側面図である。
【図１０】図６のＬＥＤ装置用パッケージを用いたＬＥＤ装置の斜視図である。
【符号の説明】
【００４５】
１０  、６０  …パッケージ、
１１  、６１  …ＬＥＤ保持面、
１２  、６２  …枠部材、
１３  、６３  …素子保持空間、
１４  、６４  …リード部、
１５  、６５  …カップ状部材、
１５ａ、６５ａ…底板部、
１５ｂ、６５ｂ…反射面部、
１７  、６７  …絶縁区画部、
２０    ７０  …ＬＥＤ装置、
２１    ７１  …ＬＥＤ素子、
２２    ７２  …ワイヤ、
２３  、７３  …光透過性樹脂、
【図１】
2009278012.tif 000003
【図２】
2009278012.tif 000004
【図３】
2009278012.tif 000005
【図４】
2009278012.tif 000006
【図５】
2009278012.tif 000007
【図６】
2009278012.tif 000008
【図７】
2009278012.tif 000009
【図８】
2009278012.tif 000010
【図９】
2009278012.tif 000011
【図１０】
2009278012.tif 000012